(57)【要約】【課題】待機状態のときはディスプレイを広範囲で見られるようにし、取引状態のときはディスプレイが他の利用者から見えないようにする手段を提供する。【解決手段】表示面を有するディスプレイを備え、利用者との現金の取引を行う現金自動預け払い機において、前記ディスプレイの少なくとも両脇に遮蔽板を設け、該遮蔽板を、利用者との取引状態の間は前記ディスプレイを側方からの視線を遮断する位置に突出させ、待機状態のときには退避するように移動させることを特徴とする【選択図】        図１
2005266847.tif 000002
【特許請求の範囲】
【請求項１】
表示面を有するディスプレイを備え、利用者との現金の取引を行う現金自動預け払い機において、
前記ディスプレイの少なくとも両脇に遮蔽板を配置し、該遮蔽板を、利用者との取引状態の間は前記ディスプレイを側方からの視線を遮断する位置に突出させ、待機状態のときには退避するように移動させることを特徴とする現金自動預け払い機。
【請求項２】
請求項１において、
前記遮蔽板を、前記ディスプレイの両脇と上側を覆う形状で、正面パネルから出没可能に設けた庇状カバーとし、取引状態の間は前記ディスプレイの表示面に対して突出させ、待機状態のときは前記庇状カバーを、その前縁が前記ディスプレイの表示面と略同一面となる位置まで引き込むことを特徴とする現金自動預け払い機。
【請求項３】
請求項１において、
前記遮蔽板を、前記ディスプレイの両脇に配置され、その一端を支点軸により回転可能に支持された扉状カバーとし、取引状態の間は該扉状カバーを、前記支点軸を中心に表示面に対して略直角に起立突出する位置とし、待機状態のときは前記扉状カバーを、前記ディスプレイの表示面を開放して退避する位置としたことを特徴とする現金自動預け払い機。
【請求項４】
表示面を有するディスプレイを備え、利用者との現金の取引を行う現金自動預け払い機において、
前記ディスプレイを、正面パネルに対して引き込み可能に構成し、取引状態の間は、前記ディスプレイを前記正面パネルから内部へ引き込んだ位置とし、待機状態のときは前記ディスプレイをその表示面が周辺の正面パネルと略同一面となる位置としたことを特徴とする現金自動預け払い機。
【発明の詳細な説明】
【技術分野】
【０００１】
本発明は、銀行等の金融機関で顧客との現金の取引に用いられる現金自動預け払い機に関する。
【背景技術】
【０００２】
従来の現金自動預け払い機は、ディスプレイに偏光シートを設け、現金自動預け払い機の他の利用者からディスプレイが見えないようにし、利用者以外にディスプレイの表示内容や利用者がタッチパネルに入力した暗証番号等を見られるのを防止するようにしている（例えば、特許文献１参照。）。
【特許文献１】特開平０５−３３４５２７号公報（第３頁左欄３７行目−４２行目、第２図）
【発明の開示】
【発明が解決しようとする課題】
【０００３】
しかしながら、上述した従来の技術においては、現金自動預け払い機が利用者を待つ待機状態のときにディスプレイに広告の画像や動画を表示したい場合にはディスプレイが正面に立つ利用者以外から見えないため、広告効果を損なうという問題がある。
また、一般に金融機関に設置されている現金自動預け払い機では、ディスプレイが取引の順番を待っている他の利用者等から見えてしまい、容易に取引を行う利用者が入力した暗証番号等が見られてしまうという問題がある。
【０００４】
本発明は、上記の問題点を解決するためになされたもので、待機状態のときはディスプレイを広範囲で見られるようにし、取引状態のときはディスプレイが他の利用者から見えないようにする手段を提供することを目的とする。
【課題を解決するための手段】
【０００５】
本発明は、上記課題を解決するために、表示面を有するディスプレイを備え、利用者との現金の取引を行う現金自動預け払い機において、前記ディスプレイの少なくとも両脇に遮蔽板を設け、該遮蔽板を、利用者との取引状態の間は前記ディスプレイを側方からの視線を遮断する位置に突出させ、待機状態のときには退避するように移動させることを特徴とする。
【発明の効果】
【０００６】
これにより、本発明は、遮蔽板が待機状態ではディスプレイの表示面と略同一面となるように移動するためディスプレイが広範囲で見ることができ、取引状態ではディスプレイの両脇で突出するためディスプレイが他の利用者から見えないようになるという効果が得られる。
【発明を実施するための最良の形態】
【０００７】
以下に、図面を参照して本発明による現金自動預け払い機の実施例について説明する。
【実施例１】
【０００８】
図１は実施例１の現金自動預け払い機を示す説明図、図２は実施例１の現金自動預け払い機を示すブロック図、図３は実施例１の現金自動預け払い機の側方断面図である。
図１、図２において、１は現金自動預け払い機である。
２はディスプレイであり、ＬＣＤ等の表示面２ａが正面に配置されており、表示面２ａに利用者が行う取引を問う取引選択画面、それぞれの取引に関する操作手順、取引の結果、広告の画像や動画等を表示する。
【０００９】
３は近接センサであり、赤外線や超音波等により現金自動預け払い機１の利用者を検知する。
４はディスプレイ２の両脇に配置された遮蔽板としての庇状カバーであり、樹脂材料等で製作されており、ディスプレイ２の両脇と上側を覆うように形成され、現金自動預け払い機１の内部でラック５と連結している。
【００１０】
ラック５は、図３に示すようにモータ６により正逆可能に回転するピニオン７とかみ合っており、このピニオン７の正逆回転により直線的に往復運動をする。
これによりラック５に連結する庇状カバー４が往復運動し、その前縁がディスプレイ２の表示面２ａと略同一面となるまで現金自動預け払い機１内に引き込まれた位置から、現金自動預け払い機１の筐体の正面パネル１ａから突出してディスプレイ２の表示面２ａが正面以外から見難くなる位置までの間で出没可能に構成される。
【００１１】
また、本実施例の庇状カバー４の移動量はこれに相当するモータ６の回転数を予め設定することにより制御されている。
８は接客部であり、テンキー等の入力手段、現金の入出金口およびカード挿入口等を備え、利用者の入力の受け付けや現金自動預け払い機１へ投入された現金の受け入れ、出金する現金の払い出し等を行う。
【００１２】
９は制御部であり、現金自動預け払い機１の各部の制御を行う。
上述した構成の作用について説明する。
以下に図５に示す実施例１の現金自動預け払い機の作動を示すフローチャートを用い、Ｓで示すステップに従って説明する。
Ｓ１、制御部９は、庇状カバー４をその前縁が表示面２ａと略同一面となる位置になるように現金自動預け払い機１の内部に引き込み、ディスプレイ２に取り扱い中であることを伝える画面あるいは広告の画像や動画を表示して利用者を待つ待機状態で待機している。
【００１３】
Ｓ２、待機状態の制御部９は、近接センサ３により利用者を検知した場合ステップＳ３へ分岐し、利用者を検知しない場合はステップＳ１へ移行して上記の待機を継続する。
Ｓ３、利用者を検知した制御部９は、ディスプレイ２に表示する画面を取引選択画面に切替える。利用者は取引選択画面に表示された取引から取引を選択し、接客部８により選択した取引を入力すると、制御部９はその入力から利用者が選択した取引を認識する。
【００１４】
Ｓ４、利用者が選択した取引を認識した制御部９は、取引状態の開始を判断し、モータ６を予め設定された回転数だけ回転させてピニオン７を正転（図３において時計方向）させ、庇状カバー４をディスプレイ２の表示面２ａが正面以外から見られない位置まで突出させる。
Ｓ５、制御部９は利用者が選択した取引に関する取引処理を通常通りに実行する。
【００１５】
Ｓ６、制御部９は取引処理が終了し、近接センサ３により利用者が現金自動預け払い機１から離れたことを認識したら、取引状態の終了を判断し、モータ６を逆回転させて庇状カバー４をその前縁がディスプレイ２と略同一面となるまで引き込む。
Ｓ７、制御部９は、そのタイマー機能により現在時刻を認識し、現在時刻が現金自動預け払い機１の営業時間以内の場合はステップＳ１へ戻り上述した各ステップを実行し、営業時間を超えている場合は取引の業務処理を終了する。
【００１６】
このようにして制御部９は取引状態の間はディスプレイ２に取引に応じた画面を表示すると共に庇状カバー４を突出させ、待機状態のときはディスプレイ２に取り扱い中であることを伝える画面あるいは広告の画像や動画を表示すると共に庇状カバー４をその前縁がディスプレイ２の表示面２ａと略同一面となるまで引き込むように制御する。
以上説明したように、本実施例では、取引状態では庇状カバーによりディスプレイの両脇および上側を覆うため、他の利用者の覗き込み等による側方からの視線を遮って取引を行っている利用者の情報が奪われることを防ぐことができると共に待機状態でディスプレイに広告の画像や動画を表示しているとき、庇状カバーは現金自動預け払い機の内部に引き込まれているためディスプレイに表示された広告を広範囲で見ることできる。
【００１７】
また、日光が直接当たるような場所に現金自動預け払い機が設置されてディスプレイの視認性が悪化する場合、庇状カバーが日光を遮るため取引を行う利用者のディスプレイの視認性を向上させることができる。
【実施例２】
【００１８】
図６は実施例２の現金自動預け払い機を示す説明図であり、図７は実施例２の現金自動預け払い機を示すブロック図、図８は実施例２の現金自動預け払い機の側方断面図、図９は実施例２の現金自動預け払い機のＸ方向矢視図である。
なお、上記実施例１と同様の部分は、同一の符号を付してその説明を省略する。
１０はディスプレイ２の両脇を遮蔽する遮蔽板としての扉状カバーであり、樹脂材料等で製作されてディスプレイ２の両脇に配置され、図９に示すようにディスプレイ２側の端部が現金自動預け払い機１の内部でこの端部と平行に設けられている支点軸１１に結合している。
【００１９】
図８に示す支点軸１１の一端には、半円形状の半歯車１２が設けられており、この半歯車１２にはモータ１３により正逆可能に回転する小歯車１４がかみ合わされている。
扉状カバー１０は、モータ１３による小歯車１４の回転が半歯車１２を回転させることにより支点軸１１を中心に回転することで、図１０に示すディスプレイ２が広範囲で見られる状態つまり表示面２ａを開放して扉状カバー１０が表示面２ａと略同一面となる全開状態から、図１１に示す表示面２ａを完全に覆った状態つまり扉状カバー１０の全閉状態までの範囲で動作する。
【００２０】
また、本実施例の扉状カバー１０はモータ６の回転数を予め設定することにより営業時間内は全開状態から、図６に示す表示面２ａに対して略直角に起立した状態つまり半開状態までの範囲で動作するように制御され、営業時間外は全閉状態となるように制御されている。
上述した構成の作用について説明する。
【００２１】
以下に図１２に示す実施例２の現金自動預け払い機の作動を示すフローチャートを用い、ＳＡで示すステップに従って説明する。
ＳＡ１、制御部９は、扉状カバー１０を全開状態にしたまま、ディスプレイ２に取り扱い中である旨を伝える文言あるいは広告の画像や動画等を表示して利用者を待つ待機状態で待機している。
【００２２】
ＳＡ２、待機状態の制御部９は、近接センサ３により利用者を検知した場合ステップＳＡ３へ分岐し、利用者を検知しない場合はステップＳＡ１へ移行して上記の待機を継続する。
ＳＡ３、利用者を検知した制御部９は、ディスプレイ２に表示する画面を取引選択画面に切替える。利用者は取引選択画面に表示された取引から取引を選択し、接客部８により選択した取引を入力すると、制御部９はその入力から利用者が選択した取引を認識する。
【００２３】
ＳＡ４、利用者が選択した取引を認識した制御部９は、取引状態の開始を判断し、モータ１３を予め設定された回転数だけ回転させて扉状カバー１０を半開状態にする。
ＳＡ５、制御部９は利用者が選択した取引に関する取引処理を通常通り実行する。
ＳＡ６、制御部９は取引処理が終了し、近接センサ３により利用者が現金自動預け払い機１から離れたことを認識したら、取引状態の終了を判断してモータ１３をステップＳＡ４の場合に対して逆回転させて扉状カバー１０を全開状態とする。
【００２４】
ＳＡ７、制御部９は、そのタイマー機能により現在時刻を認識し、現在時刻が現金自動預け払い機１の営業時間以内の場合ステップＳＡ１へ戻り上述した処理を行い、営業時間を超えている場合はステップＳＡ８へ移行する。
ＳＡ８、営業時間を超えていると認識した制御部９は、モータ１３を回転させて扉状カバー１０を全閉状態にして取引の業務処理を終了する。
【００２５】
このようにして制御部９は取引状態の間はディスプレイ２に取引に応じた内容を表示すると共に扉状カバー１０を半開状態にしておき、待機状態のときはディスプレイ２に取り扱い中であることを伝える画面あるいは広告の画像や動画を表示すると共に扉状カバー１０を全開状態にするように制御する。
以上説明したように、本実施例では、上述した実施例１と同様の効果に加え、現金自動預け払い機が稼動していないときに扉状カバーが閉じた状態となってディスプレイを覆うため、営業時間外におけるディスプレイを破壊等から保護することができるという効果が得られる。
【実施例３】
【００２６】
図１３は実施例３の現金自動預け払い機を示す説明図であり、図１４は実施例３の現金自動預け払い機を示すブロック図、図１５は実施例３の現金自動預け払い機の側方断面図、図１６はディスプレイが回転した状態を示す説明図である。
なお、上記実施例１、実施例２と同様の部分は、同一の符号を付してその説明を省略する。
【００２７】
本実施例のディスプレイ２は、上記実施例１と同様の内容を表示する一方、上部に備えた回転軸１５により現金自動預け払い機１の筐体に回転可能に支持され、下部にはこの回転軸１５を中心とした半径で形成されている歯車の一部である部分歯車１６が取り付けられており、待機状態のときには、図１３に示すようにその表示面２ａが現金自動預け払い機１の正面パネル１ａと略同一面となる位置に停止している。
【００２８】
部分歯車１６はモータ１７により正逆可能に回転する小歯車１８とかみ合っており、この小歯車１８の正逆回転により回転軸１５を中心に回転する。
ディスプレイ２は小歯車１８が正逆回転することにより、その表示面２ａが周囲の現金自動預け払い機１の正面パネル１ａと略同一面となる位置から図１６に示すように正面パネル１ａから筐体内部へ引き込まれて表示面２ａを正面以外から見難くなる位置までの範囲を回転軸１５を中心にして回転して移動する。
【００２９】
また、本実施例のディスプレイ２の回転量はモータ１７の回転数を予め設定することにより制御されている。
上述した構成の作用について説明する。
以下に図１７に示す実施例３の現金自動預け払い機の作動を示すフローチャートを用い、ＳＢで示すステップに従って説明する。
【００３０】
ＳＢ１、制御部９は、ディスプレイ２に取り扱い中である旨を伝える文言あるいは広告の画像や動画等を表示し、その表示面２ａが周囲の現金自動預け払い機１の正面パネル１ａと略同一面となる位置でディスプレイ２を停止して待機する。
ＳＢ２、待機状態の制御部９は、近接センサ３により利用者を検知した場合ステップＳＢ３へ分岐し、利用者を検知しない場合はステップＳＢ１へ移行して上記の待機を継続する。
【００３１】
ＳＢ３、利用者を検知した制御部９は、ディスプレイ２に表示する画面を取引選択画面に切替える。利用者は取引選択画面に表示された取引から取引を選択し、接客部８により選択した取引を入力すると、制御部９はその入力から利用者が選択した取引を認識する。
ＳＢ４、利用者が選択した取引を認識した制御部９は、取引状態の開始を判断し、モータ１７を予め設定された回転数だけ回転させてディスプレイ２を現金自動預け払い機１の正面パネル１ａから筐体内部の方向に回転させて表示面２ａを内部へ引き込む。
【００３２】
ＳＢ５、接客部８は利用者が選択した取引に関する取引処理を通常通りに実行する。
ＳＢ６、制御部９は取引処理が終了し、近接センサ３により利用者が現金自動預け払い機１から離れたことを認識したら、取引状態の終了を判断し、モータ１７をステップＳＢ４の場合に対して逆回転させてディスプレイ２をその表示面２ａが周囲の現金自動預け払い機１の正面パネル１ａと略同一面となる位置つまりステップＳＢ１の場合と同様の位置まで回転させる。
【００３３】
ＳＢ７、制御部９は、そのタイマー機能により現在時刻を認識し、現在時刻が現金自動預け払い機１の営業時間以内の場合ステップＳＢ１へ戻り上述した処理を行い、営業時間を超えている場合は取引の業務処理を終了する。
このようにして制御部９は取引状態の間はディスプレイ２を回転させて正面パネル１ａから筐体の内部へ向かう方向に引き込み、待機状態のときはディスプレイ２をその表示面２ａが周辺の現金自動預け払い機１の正面パネル１ａと略同一面となる位置まで回転させるように制御する。
【００３４】
以上説明したように、本実施例では、実施例１と同様の効果を得ることができる。
なお、上記各実施例においては、利用者が接客部で取引を選択したときに取引状態の開始の判断すると説明したが、近接センサが利用者の検知をしたときに取引状態の開始を判断するようにしてもよい。
【図面の簡単な説明】
【００３５】
【図１】実施例１の現金自動預け払い機を示す説明図
【図２】実施例１の現金自動預け払い機を示すブロック図
【図３】実施例１の現金自動預け払い機の側方断面図
【図４】実施例１の庇状カバーが引き込まれた状態を示す説明図
【図５】実施例１の現金自動預け払い機の作動を示すフローチャート
【図６】実施例２の現金自動預け払い機を示す説明図
【図７】実施例２の現金自動預け払い機を示すブロック図
【図８】実施例２の現金自動預け払い機の側方断面図
【図９】実施例２の現金自動預け払い機のＸ方向矢視図
【図１０】扉状カバーの開状態を示す説明図
【図１１】扉状カバーの閉状態を示す説明図
【図１２】実施例２の現金自動預け払い機の作動を示すフローチャート
【図１３】実施例３の現金自動預け払い機を示す説明図
【図１４】実施例３の現金自動預け払い機を示すブロック図
【図１５】実施例３の現金自動預け払い機の側方断面図
【図１６】ディスプレイが回転した状態を示す説明図
【図１７】実施例３の現金自動預け払い機の作動を示すフローチャート
【符号の説明】
【００３６】
１    現金自動預け払い機
１ａ  正面パネル
２    ディスプレイ
２ａ  表示面
３    近接センサ
４    庇状カバー
５    ラック
６、１３、１７  モータ
７    ピニオン
８    接客部
９    制御部
１０  扉状カバー
１１  支点軸
１２  半歯車    
１４、１８  小歯車
１５  回転軸
１６  部分歯車
【図１】
2005266847.tif 000003
【図２】
2005266847.tif 000004
【図３】
2005266847.tif 000005
【図４】
2005266847.tif 000006
【図５】
2005266847.tif 000007
【図６】
2005266847.tif 000008
【図７】
2005266847.tif 000009
【図８】
2005266847.tif 000010
【図９】
2005266847.tif 000011
【図１０】
2005266847.tif 000012
【図１１】
2005266847.tif 000013
【図１２】
2005266847.tif 000014
【図１３】
2005266847.tif 000015
【図１４】
2005266847.tif 000016
【図１５】
2005266847.tif 000017
【図１６】
2005266847.tif 000018
【図１７】
2005266847.tif 000019